(57)【要約】      （修正有）【課題】紙おむつなどの使い捨て吸収性物品を店頭で、サンプルを展示する為の透明保護カバーに封入したディスプレイを提供する。【解決手段】使い捨て吸収性物品２５０のディスプレイは、２つの面を有する平面的で透明な保護カバー１２５に、該吸収性物品２５０を封入してなる。さらに、このデイスプレイは、また、平面的で透明な保護カバーに取り付けられた引き綱２００と使い捨て吸収性物品を含む。上記平面的で透明な保護カバー１２５は、使い捨て吸収性物品に面する位置に設けられた少なくとも１つの開口３００を設けてなる。【選択図】図１
0003160971.tif 000002
【実用新案登録請求の範囲】
【請求項１】
使い捨て吸収性物品のデイスプレイであって、
２つの面を有する平面的で透明な保護カバーと、
前記平面的で透明な保護カバーに取り付けられる引き綱と、
使い捨て吸収性物品とを含み、
前記使い捨て吸収性物品は、前記平面的で透明な保護カバー内に密封され、前記平面的で透明な保護カバーは、前記使い捨て吸収性物品に面する位置に設けられた少なくとも１つの開口を有することを特徴とするデイスプレイ。
【請求項２】
前記使い捨て吸収性物品は、おむつであることを特徴とする請求項１に記載の使い捨て吸収性物品のデイスプレイ。
【請求項３】
前記平面的で透明な保護カバーの各面に開口を設けたことを特徴とする請求項１に記載の使い捨て吸収性物品のデイスプレイ。
【請求項４】
前記開口が円形であることを特徴とする請求項１に記載の使い捨て吸収性物品のデイスプレイ。
【請求項５】
前記引き綱が、締結具によって前記平面的で透明な保護カバーに取り付けられることを特徴とする請求項１に記載の使い捨て吸収性物品のデイスプレイ。
【請求項６】
前記引き綱が、前記平面的で透明な保護カバーの上に配置された取付要素に取り付けられることを特徴とする請求項１に記載の使い捨て吸収性物品のデイスプレイ。
【請求項７】
前記取付要素が、小売店舗商品棚の支持構造物に付設される接着剤であることを特徴とする請求項１に記載の使い捨て吸収性物品のデイスプレイ。
【考案の詳細な説明】
【技術分野】
【０００１】
この考案は、吸収性物品の購入決定前に、吸収性物品の使用者、吸収性物品の購入者及び／又は吸収性物品を取り扱う介護者を含む消費者が、当該吸収性物品のサンプルを調べることを可能とする吸収性物品展示のためのデイスプレイ用品に関する。このデイスプレイ用品は、開口を有しており、購入前に、消費者は、吸収性物品に触れることができる。このデイスプレイ用品は、店舗商品棚ユニットに取り付けることができ、消費者の方へ（商品棚ユニットから離れるように）吸収性物品を引き寄せるための引き綱を有する。消費者が、デイスプレイ用品内の吸収性物品を調べ終えると、引き綱が、店舗商品棚ユニット方向に向かうデイスプレイ用品の引き戻しを可能とする。この考案のデイスプレイ用品は、吸収性物品の購入前に、消費者が、店内においてその吸収性物品の包装（パッケージ）を開く必要を解消する。
【背景技術】
【０００２】
店舗デイスプレイに高価な商品を係留するための多くの用品が知られている。商品の係留は、通常、消費者が商品を調べられるように、また、商品を目的とするデイスプレイの近くに置くように、また、整然とした展示状況を維持するように、また、商品の盗難を防ぐように、行われる。携帯電話、デジタルカメラ、及びビデオカメラのような商品は、電話コード又は引き綱のような伸縮性で丈夫なコードを使ってデイスプレイに結び付けられる。消費者が商品を調べることを終えたならば、デイスプレイの方へと商品を引き戻すべく、前記電話コード又は引き綱のようなコードは、典型的には、引き込み式とする。このような方法で展示される商品は、買い物客によって繰り返される商品調べに耐えることのできる耐久性を備え且つ再使用可能な商品である。
【考案の概要】
【考案が解決しようとする課題】
【０００３】
消費者製品の製造業者は、小売業者からの返品がある場合には、毎年、かなりの額の資金を失う。小売業者が返品する理由の一つは、商品の包装が開いており又は破れていて、その商品の販売が不可能であることにある。クラブストア小売業者によって返品された場合には、通常、商品の包装が比較的大きめでより一層販売が不可能なので、その損失は、さらに大きい。幾つかの消費者製品の製造業者において損失は数百万ドルと査定され、したがって、これらの損失を削減することに重大な関心が集まっている。
【０００４】
クラブストア小売業者は、割引単価の取得を目的として大量購入をいとわない消費者をターゲットとする。クラブストア小売業者によって商品が販売される場合、大量の商品総数に合わせて、商品は、多くの場合、段ボール紙（又は、同様の不透明包装材）内に包装される。段ボール紙包装は、包装の上からの商品の視認性を低下させる。そのため、消費者は、購入する商品の固有の特性について、及び、或る製造業者の商品が他の製造業者の商品とどのように対比されるかについて、不確実な経験をすることとなる。購入しようとする商品の品質を明確に知るためには、消費者は、段ボール紙包装の一つを開けて内側に収納された商品を検査する。大量購入した消費者は、帰宅した際に、その購入商品による失望を味わうことを望まないことから、特に、このことは事実である。消費者が商品購入を決断した場合、包装が既に開いているものは選ばず、新品の包装未開封のものをレジに運んで、最終的に家に持ち帰る。包装の開いた状態の商品は、多くの場合、商品棚に置き去りにされ、その後の消費者による選択は行われない。そのような包装商品の購入選択が行われないことが明白となって、ある程度の期間が経過した後、小売業者は、その包装商品を製造業者に返送し、その製造業者は、小売業者に対しクレジットを発給せざるを得ない。
【０００５】
耐久性商品よりも、むしろ、使い捨て商品の方が、デイスプレイ用品に対する必要性を有している。また、消費者が購入を考えている商品の生地に触れることを可能とする一方で、同時に、商品の完全性を保護するデイスプレイ用品に対する需要が存在する。さらに、使い捨て商品の包装が置かれている位置の近くで利用される又は使い捨て商品の包装自体の上に設けられる使い捨て商品用のデイスプレイ用品に対する需要が存在する。大量生産商品の消費者が、その購入前に、包装内の商品を検査することが可能ならば、消費者が（購入しない商品の）包装を開く可能性は低くなり、結果として、大量生産商品の製造業者は、小売業者に対する多数のクレジットの発給をする必要がなくなる。
【課題を解決するための手段】
【０００６】
一つの側面において、この考案は、使い捨て吸収性物品のデイスプレイに関する。この考案の使い捨て吸収性物品のデイスプレイは、包装内に収容された物品の特徴及び全体的な外観を調べる機会を消費者に提供する。折り畳まれた不使用状態では、吸収性物品は、全体的に二次元的で且つ比較的平坦な形状である。すなわち、使い捨て吸収性物品のデイスプレイは、２つの面を有する平面的で透明な保護カバーを含む。平面的で透明な保護カバーは、１つの使い捨て吸収性物品又は複数の使い捨て吸収性物品を保持する寸法に形成することができる。平面的で透明な保護カバーの寸法は、望ましくは、展示される使い捨て吸収性物品の寸法よりも多少大きめとする。平面的で透明な保護カバーは、該カバーが閉じられ又は密封される前に平面的で透明な保護カバー内への使い捨て吸収性物品の挿入が容易に行えるような方法で、１以上の使い捨て吸収性物品を容易に保持するに十分な大きさとする。しかし、使い捨て吸収性物品が平面的で透明なカバー内でそれ程動くことがない（そして概ね同一位置に固定される）ように、１以上の使い捨て吸収性物品は、望ましくは、平面的で透明な保護カバー内にいくぶんぴったりと密着する。
【０００７】
使い捨て吸収性物品のデイスプレイは、また、平面的で透明な保護カバーに取り付けられた引き綱（lanyard）を有する。引き綱は、平面的で透明な保護カバーの一方の面又は両方の面に取り付けることができる。引き綱は、店舗商品棚への使い捨て吸収性物品の接続を可能とする。引き綱の表面には、店舗商品棚への使い捨て吸収性物品の取り付けを可能とする接着剤又は他の取付機構を備えることができる。引き綱のコードは、平面的で透明な保護カバーを店舗商品棚から引き離して消費者の方へ引き寄せることを可能とし、それで、消費者は、平面的で透明な保護カバー内に収容された１以上の使い捨て吸収性物品を調べることができる。所望には、引き綱は、平面的で透明な保護カバーの縁に沿って取り付けられる。使い捨て吸収性物品を調べ終えると、消費者は、平面的で透明な保護カバーを離し、それで、引き綱が、該保護カバーを店舗商品棚の方へと引き戻す。
【０００８】
代替的には、使い捨て吸収性物品のデイスプレイは、使い捨て吸収性物品の包装に直接取り付けることができる。このオプションでは、包装が、店舗商品棚ではなくて自立型のデイスプレイに積み重ねられた場合であっても、消費者が、購入を考えている使い捨て吸収性物品を調べることが可能となる。引き綱に加えるに、平面的で透明な保護カバーは、接着で又は他の方法で平面的で透明な保護カバーに付着される１片の磁石テープによって店舗商品棚又は使い捨て吸収性物品の包装のいずれかに取り付けることができる。
【０００９】
幼児用おむつ、おむつパンツ、トイレトレーニングおむつ、スイムパンツ、成人用失禁用品、及び、女性用衛生用品のような、使い捨て吸収性物品は、包装内に収容した商品の包装を透しての視認ができない段ボール箱のような包装に入れて販売される。使い捨て吸収性物品のデイスプレイは、店舗内のその商品が置かれた場所に最も近い位置で、消費者がその吸収性物品を観察する方法を提供する。使い捨て吸収性物品のデイスプレイは、また、使い捨て吸収性物品を保護するとともに、使い捨て吸収性物品の包装がその上に積み重ねられる店舗商品棚ユニット上に配置して保持するデイスプレイ用の機構を提供する。
【００１０】
平面的で透明な保護カバーは、１以上の使い捨て吸収性物品の周りで密封される。使い捨て吸収性物品は、これの保護とデイスプレイ内における吸収性物品の魅力的で清潔な外観の維持を助長するため、平面的で透明な保護カバー内に密封される。平面的で透明な保護カバーは、１以上の使い捨て吸収性物品の上に配置される少なくとも１つの開口を有する。この開口は、円形又は他の形状を有する。この開口は、デイスプレイを調べる消費者に、使い捨て吸収性物品の外表面に触れる機会を提供する。ある場合には、使い捨て吸収性物品が布に似た肌触りを有することが望まれるが、デイスプレイのカバーの開口は、購入の決定をする前に、消費者が、自身でその商品の肌触りを評価する機会を提供する。さらに、この開口は、デイスプレイ内に収容されることが所望される使い捨て吸収性物品を簡便に変更する機能も提供する。
【００１１】
この考案のこれらの側面及び追加的な側面が、以下により詳細に説明される。さらに、前述した一般的説明及び後述する説明の両者は、例示的なものであって、請求項の説明を提供することを企図したものであることを理解されたい。
【００１２】
同様の符号が同様の構成要素を指示する添付図面と下記の考案の詳細な説明を参照するならば、この考案がより完全に理解され、利点がより一層明らかとなろう。添付図面は、単なる表示であり、請求項の範囲を制限することを企図していない。
【図面の簡単な説明】
【００１３】
【図１】幼児用吸収性物品を展示するためのこの考案の例示的デイスプレイ用品の透視図を典型的に示す。このデイスプレイ用品は、店舗商品棚又は他のデイスプレイの支持構造物に取り付けられる。このデイスプレイ用品は、支持構造物に対して比較的平坦で、実質的に突出していない。
【図２】消費者によって調べられた図１のデイスプレイ用品の透視図を典型的に示す。デイスプレイ用品は、消費者が商品調べを終了したときに、はね戻ってデイスプレイ用品を支持構造物に対して平坦な状態に引き戻す伸縮自在の引き綱によって支持構造物に接続される。
【考案を実施するための形態】
【００１４】
この考案の本開示は、この考案の「側面」との用語又は他の用語で個別に又は総括的に言及される各種の部品、要素、構造、形状、配列及び他の特徴の観点から表現される。本開示考案の各種の態様は、１以上の各種の特徴及び側面に組み合わせることが可能であり、且つ、そのような特徴及び側面は、それらの任意の所望される作動的組合せに利用可能であると考えられる。また、本開示中に使われた場合には、「含む」及び基底語「含む」からの他の派生語は、述べられたいずれの特徴、要素、整数、ステップ、又は部分の存在をも指示する自由な用語（open-ended terms）を意味しており、１以上の他の特徴、要素、整数、ステップ、部分、又はこれらの集合の存在又は追加を排除することを意味しない。
【００１５】
この考案の使い捨て吸収性物品のデイスプレイの特徴は、幾つかの従来未解決の課題を解決する。例えば、今日まで、使い捨て吸収性物品を消費者が見ることができるようにするとともに、同時に、繰り返し行われる商品取り扱いから商品を保護する用品は、利用されていない。さらに、或る商品から別の商品へとデイスプレイ内の商品変更を簡便に可能とする用品も無かった。また、使い捨て吸収性物品の販売個所に近接して配置可能な、又は、使い捨て吸収性物品の包装自体の上に配置可能な用品も無かった。この考案の構造は、また、商品の棚配列が変更された場合のデイスプレイの簡便な位置の変更を可能とする。さらに、この使い捨て吸収性物品のデイスプレイは、包装に収容された物品を検査する目的で消費者が商品の密封包装を開く回数を低減する。包装を開く回数のそのような低減及び潜在的には消費者による破損の低減が、使い捨て吸収性物品の製造業者が返品商品に関して支払わなければならない払い戻しの金額を削減する。
【００１６】
この考案の使い捨て吸収性物品のデイスプレイは、平面的で透明な保護カバーと引き綱と使い捨て吸収性物品とを含む。使い捨て吸収性物品のデイスプレイは、幼児用おむつ、トイレトレーニングおむつ、スイムパンツ、整理用ナプキン、女性用尿漏れ防止パッド、男性用失禁用品、及び成人用失禁衣服のようなパーソナル介護及び衛生のための使い捨て吸収性物品を調べる機会を消費者に提供することを目的とする。上記の物品は概ね平面的形状であるが、使い捨て吸収性物品のデイスプレイは、タンポン及び非吸収性の膣挿入用品のような円筒形状の物品にも使用可能である。これらの使い捨て吸収性物品である商品は、包装を透しての個々の物品の視認をさせない包装、すなわち、不透明な包装に入れられて販売される。したがって、店内において、消費者が購入の決定をする場所に、デイスプレイ用品を配置することが所望される。この考案の使い捨て吸収性物品のデイスプレイの一例が、図１に示される使い捨て吸収性物品２５０用のデイスプレイ１００である。デイスプレイ１００は、使い捨て吸収性物品２５０を保持する平面的で透明な保護カバー１２５を含む。平面的で透明な保護カバー１２５は、２つの面を有しており、使い捨て吸収性物品２５０は、これら２つの面の間に収容される。平面的で透明な保護カバー１２５は、軽量ではあるが、その中に収容される使い捨て吸収性物品２５０を保護するのに十分な耐久性を備えた材料で作製される。望ましくは、平面的で透明な保護カバー１２５は、透明でそのカバー１２５を透して使い捨て吸収性物品２５０が見えるプラスチックのような材料で作製する。プラスチック又は他の材料の透明性が、消費者が、平面的で透明な保護カバー１２５内に収容されている被展示物品２５０及び必要な説明書を検証することを可能とする。平面的で透明な保護カバー１２５の寸法は、展示される１以上の使い捨て吸収性物品２５０が前記２つの面の間にぴったり収まるように選択する。この考案のデイスプレイ１００の別の例では、使い捨て吸収性物品２５０と商品説明パンフレットが前記２つの面の間にぴったり収まるように、平面的で透明な保護カバー１２５の寸法を選択する。望ましくは、平面的で透明な保護カバー１２５の大きさは、封入された使い捨て吸収性物品２５０の外観からデイスプレイ１００の魅力低下となる程の内容物の緩み又は遊びは許さないが、選択された内容物が前記２つの面の間でぴったり収まることを可能とする。デイスプレイ１００の寸法は、商品及び商品の個々の特徴の視認性を向上するために消費者が使い捨て吸収性物品２５０を引き伸ばすことができるように選択される。平面的で透明な保護カバー１２５を形成するべく選択された材料は、手で触れられたときに、デイスプレイ１００内での商品の伸張を可能とするべく伸縮自在である。平面的で透明な保護カバー１２５が伸縮自在の場合、これは、伸張性又は弾力性のいずれかの材料で作製される。使い捨て吸収性物品２５０は、使い捨て吸収性物品２５０を包装内に入れる様式に似た方法でデイスプレイ１００内で折り畳んでも良いが、また、使い捨て吸収性物品２５０は、新規又は特異な商品の特徴又は個性を強調する方法で折り畳み且つデイスプレイ１００内に配置しても良い。
【００１７】
この考案の使い捨て吸収性物品のデイスプレイ１００の引き綱（lanyard）２００は、平面的で透明な保護カバー１２５の一方の面又は両方の面に取り付けられる。引き綱２００は、図２に示されるような具合の良い距離で、消費者が、使い捨て吸収性物品２５０を観察し且つこれに触れるべく、平面的で透明な保護カバー１２５を店舗商品棚又は棚用支持材から消費者に近づくように引き寄せることを可能とする。消費者が使い捨て吸収性物品２５０の商品調べを終了したときに、引き綱２００による平面的で透明な保護カバー１２５の店舗商品棚ユニットに向かう引き戻しが可能となる。引き綱２００には、平面的で透明な保護カバー１２５と使い捨て吸収性物品２５０の組み合わされた重量よりも大きな引き戻し力が必要である。引き綱２００は、締結具１７５によって平面的で透明な保護カバー１２５に取り付けられる。締結具１７５は、平面的で透明な保護カバー１２５の一方の面又は両方の面に取り付けられる。締結具１７５は、それらの種類又は同様の種類の構造と組み合わせたボルト、ねじ、グロメット、ピン、又は、ワッシャとすることができる。他の側面では、デイスプレイ１００は、引き綱を含んでおらず、代わりに、平面的で透明な保護カバー１２５に接着された磁石片を含む。磁石片は、デイスプレイ１００の金属製棚枠又は金属製扉への取り付けを可能とする。
【００１８】
平面的で透明な保護カバー１２５の２つの面の間に１以上の使い捨て吸収性物品２５０が密封される。密封は、平面的で透明な保護カバー１２５の２つの面の縁に沿った接着結合、熱接合、圧力接合、又は超音波接合で形成可能である。望ましくは、審美的外観を得るために、前記カバー１２５の２つの面の縁は、その縁が相互に密封される前に、相互に整合される。他の例では、平面的で透明な保護カバー１２５の２つの面の間の密封は、使い捨て吸収性物品２５０の外側のカバーの前方及び後方の表面を、平面的で透明な保護カバー１２５のいずれかの面に接合することによって形成される。この方法で密封が形成された場合、前記カバー１２５内で使い捨て吸収性物品２５０が自由に移動することはない。むしろ、この種類の密封は、使い捨て吸収性物品２５０を平面的で透明な保護カバー１２５内の一定位置に保持する。
【００１９】
平面的で透明な保護カバー１２５は、デイスプレイ１００内の使い捨て吸収性物品２５０に面する位置に設けられた、少なくとも１つの開口３００を有する。望ましくは、開口３００は、展示される使い捨て吸収性物品２５０の形状に最も適した形状とする。例えば、円形の開口３００は幼児用おむつに適合しているが、長円形の開口３００は、比較的に長い形状のタンポン又は女性用介護パッドにより一層適合している。使い捨て吸収性物品のデイスプレイ１００は、消費者がデイスプレイ１００内に封入された使い捨て吸収性物品２５０の生地に触れることを可能とする１以上の開口３００を有し得る。平面的で透明な保護カバー１２５の一方の面又は両方の面に、１以上の開口３００が形成される。使い捨て吸収性物品２５０の前と後の両方の面に開口３００が形成されるならば、消費者は、購入を考えている商品の両方の面の生地に触れることができる。使い捨て吸収性物品２５０が後面と比較して前面が異なる材料で製作されていたり又は異なる特性を有する場合には、上記の構成が望ましい。付け加えるに、開口３００の存在が、デイスプレイ１００内での一の種類の使い捨て吸収性物品２５０から他の種類への簡便な変更を可能とする。
【００２０】
使い捨て吸収性物品のデイスプレイ１００は、引き綱２００を店舗商品棚ユニット又は店舗商品棚ユニットの支持材に取り付けるための取付要素１５０を有する。取付要素１５０は、また、大形のデイスプレイ装置又は販売される商品のデイスプレイ近くの他の適当な構造物に取り付けることもできる。取付要素１５０は、商品棚ユニットへの取り付けを提供するための接着面又は磁石面を含むことも可能である。代替的には、取付要素１５０は、使い捨て吸収性性物品のデイスプレイ１００を１つの位置から別の位置へと移動可能とするべく、ベルクロ（商標ＶＥＬＣＲＯ）のフックアンドループ材料のような再締結可能な材料とすることもできる。店舗レイアウト又は商品棚スペースの再配置又は販売促進の目的で販売商品の位置を周期的に変更するような場合には、再締結可能な機能は、有用である。このような事情で、取付要素１５０は、取り外すことができ且つ別の位置に再度取り付けることができる。取付要素１５０は、また、展示される使い捨て吸収性物品２５０の包装に引き綱２００又は（引き綱２００の位置に使用される）磁石片を直接取り付けるのに使用可能である。デイスプレイ１００を使い捨て吸収性物品２５０の包装（パッケージ）に直接取り付けることによって、消費者はデイスプレイ１００に接近することと観察することがより容易に可能であり、包装が（商品棚ユニットではなく）店舗内通路の荷台の上に展示されている場合にもデイスプレイ１００を使用することができる。
【００２１】
この考案の使い捨て吸収性物品が、その特定の構造に関して詳細に説明されたが、当業者は、他の説明の理解を得ることによって、これらの構造の改良、変更、及び均等物を容易に着想し得ることを理解されよう。すなわち、この考案の範囲は、添付請求項とその均等物として評価されるべきである。
【符号の説明】
【００２２】
１００  デイスプレイ
１２５  平面的で透明な保護カバー
１５０  取付要素
１７５  締結具
２００  引き綱
２５０  使い捨て吸収性物品
３００  開口
【図１】
0003160971.tif 000003
【図２】
0003160971.tif 000004